(57)【要約】【課題】支線の露出位置を敷地境界に接近できる支線アンカを提供すること。【解決手段】支線２を地盤に支持する支線アンカ１は、先端側に支線２が連結される円筒形状の案内板１０と、案内板１０の基端側から湾曲して延出する長尺状の抵抗板２０と、抵抗板２０の基端側から延出する長尺状の安定板３０と、を備え、抵抗板２０の先端及び案内板１０の先端は、電柱３側を向き、安定板３０の先端は、平面視で電柱３方向に交差する方向を向く。【選択図】図３
2010248732.tif 000002
【特許請求の範囲】
【請求項１】
支線を地盤に支持する支線アンカであって、
先端側に支線が連結される円筒形状の案内板と、当該案内板の基端側から湾曲して延出する長尺状の抵抗板と、
当該案内板の基端側から延出する長尺状の安定板と、を備え、
抵抗板の先端及び案内板の先端は、電柱側を向き、安定板の先端は、平面視で電柱方向に交差する方向を向くことを特徴とする支線アンカ。
【請求項２】
前記安定板は、２枚であることを特徴とする請求項１記載の支線アンカ。
【発明の詳細な説明】
【技術分野】
【０００１】
本発明は、支線アンカに関する。詳しくは、支線を地盤に支持する支線アンカに関する。
【背景技術】
【０００２】
従来より、電柱の支線を地盤に支持する支線アンカは、例えば、以下のような構造である。すなわち、平板長尺状の案内板と、当該案内板の基端側から湾曲して延出する長尺状の抵抗板と、長尺状の安定板と、を備える（特許文献１参照）。
【０００３】
この支線アンカは、以下の手順で設置される。
抵抗板の先端を地面に当てて、この抵抗板の凹んだ面が電柱側に向くように、抵抗板を垂直に立てる。この状態で、抵抗板の基端側にロットハンマーを当てて、抵抗板を地中に打ち込む。
すると、抵抗板は湾曲しているので、抵抗板は地中に位置し、この抵抗板の凹部は支線に略鉛直となる。
次に、安定板の先端を抵抗板の基端側に当てて、安定板の延出方向が支線方向に略一致するように配置する。この状態で、安定板の基端側にロットハンマーを当てて、安定板を地中に打ち込む。
すると、安定板は地中に位置し、この安定板は支線に沿って延出することになる。
次に、案内板の先端に支線を取り付ける。
【０００４】
よって、抵抗板の先端及び案内板の先端は、電柱側を向き、安定板の先端は、電柱側と反対側を向くことになる。
【先行技術文献】
【特許文献】
【０００５】
【特許文献１】特開２００７−２２４６２３号公報
【発明の概要】
【発明が解決しようとする課題】
【０００６】
ところで、敷地に制約により、支線の露出位置をできる限り敷地境界に接近させたい場合がある。
しかしながら、上述の支線アンカでは、敷地境界にできる限り接近させて支線アンカを設ける場合でも、安定板の平面長さ寸法及び案内板の平面長さ寸法の和の分だけ敷地境界から離れた位置に、支線が露出することになる。
【０００７】
本発明は、支線の露出位置を敷地境界に接近できる支線アンカを提供することを目的とする。
【課題を解決するための手段】
【０００８】
本発明の支線アンカ（例えば、支線アンカ１）は、支線を地盤に支持する支線アンカであって、先端側に支線が連結される円筒形状の案内板（例えば、案内板１０）と、当該案内板の基端側から湾曲して延出する長尺状の抵抗板（例えば、抵抗板２０）と、当該案内板の基端側から延出する長尺状の安定板（例えば、安定板３０）と、を備え、抵抗板の先端及び案内板の先端は、電柱側を向き、安定板の先端は、平面視で電柱方向に交差する方向を向くことを特徴とする。
【０００９】
この発明によれば、抵抗板の先端及び案内板の先端が、電柱側を向き、安定板の先端は、平面視で電柱方向に交差する方向を向くようにした。
よって、抵抗板の先端を地面に当てて、この抵抗板の凹んだ面が電柱側に向くように、抵抗板を垂直に立てる。この状態で、抵抗板の基端側にロットハンマーを当てて、抵抗板を地中に打ち込む。すると、抵抗板は湾曲しているので、抵抗板は地中に位置し、この抵抗板の凹んだ面は支線に略鉛直となる。
【００１０】
次に、安定板の先端を抵抗板の基端側に当てて、安定板の延出方向が平面視で電柱方向に交差する方向を向くように配置する。この状態で、安定板の基端側にロットハンマーを当てて、安定板を地中に打ち込む。すると、安定板は地中に位置し、この安定板は電柱方向に交差する方向に沿って延出することになる。
次に、案内板の先端に電柱の支線を連結する。
【００１１】
このように、安定板の先端を、平面視で電柱方向に交差する方向を向くようにしたので、案内板の基端側を敷地境界に寄せることが可能となり、支線の露出位置を敷地境界に接近できる。
【００１２】
また、前記安定板は、２枚であることを特徴とする。
【００１３】
この発明によれば、安定板を２枚にしたので、支線を地盤に支持する支持力が向上する。
【発明の効果】
【００１４】
本発明によれば、安定板の先端を、平面視で電柱方向に交差する方向を向くようにしたので、案内板の基端側を敷地境界に寄せることが可能となり、支線の露出位置を敷地境界に接近できる。
【図面の簡単な説明】
【００１５】
【図１】本発明の第１実施形態に係る支線アンカが取り付けられた状態を示す図である。
【図２】前記実施形態に係る支線アンカが取り付けられた状態を上方から見下げた図である。
【図３】前記実施形態に係る支線アンカの概略を示す斜視図である。
【図４】前記実施形態に係る案内板及び抵抗板の概略を示す上面図である。
【図５】前記実施形態に係る案内板及び抵抗板の概略を示す側面図である。
【図６】前記実施形態に係る安定板を説明するための図である。（ａ）は、安定板の上面図である。（ｂ）は、安定板の正面図である。
【図７】本発明の第２実施形態に係る支線アンカが取り付けられた状態を上方から見下げた図である。
【図８】前記実施形態に係る連結部材が適用された案内板及び抵抗板の概略を説明するための斜視図である。
【発明を実施するための形態】
【００１６】
以下に、本発明の実施形態を図面に基づいて詳細に説明する。なお、以下の実施形態の説明にあたって、同一構成要件については同一符号を付し、その説明を省略もしくは簡略化する。
【００１７】
〔第１実施形態〕
図１は、本発明の第１実施形態に係る支線アンカ１が取り付けられた状態を示す図である。図２は、前記実施形態に係る支線アンカ１が取り付けられた状態を上方から見下げた図である。図３は、前記実施形態に係る支線アンカ１の概略を示す斜視図である。
支線アンカ１は、先端側に電柱３の支線２が連結される円筒形状の案内板１０と、案内板１０の基端側から湾曲して延出する長尺状の抵抗板２０と、案内板１０の基端側から延出する長尺状の２つの安定板３０と、を備えている。
【００１８】
支線アンカ１は、電柱３と敷地境界４との間に設置されている。
抵抗板２０の先端及び案内板１０の先端は、電柱３側に向けて、配置されている。安定板３０の先端は、平面視で電柱３方向に交差する方向である、敷地境界４が延びる方向を向けて配置されている。
【００１９】
図４は、前記実施形態に係る案内板１０及び抵抗板２０の概略を示す上面図である。図５は、前記実施形態に係る案内板１０及び抵抗板２０の概略を示す側面図である。
【００２０】
案内板１０と抵抗板２０とは、連結部材４０により連結されている。
案内板１０には、先端側に支線が連結される連結孔１１が形成されている。案内板１０の基端側は、連結部材４０に連結されている。
【００２１】
抵抗板２０は、先端側が三角形状に形成された抵抗板本体２１と、抵抗板本体２１の略中央から突出し、抵抗板本体２１が延びる方向に沿って形成された方向部２２と、を備えている。
方向部２２は、先端側が三角形状に形成されている。方向部２２の基端側は、連結部材４０にリベットで固定されている。
【００２２】
連結部材４０は、連結部材本体４１と、連結部材本体４１が延びる方向に沿って延出し、安定板３０を支持する２つの支持板４２と、を備えている。
【００２３】
連結部材本体４１の一端は、案内板１０の基端側と回動自在に連結されている。連結部材本体４１の他端は、例えば、抵抗板２０の方向部２２の基端側と固定されている。なお、連結部材本体４１の一端は、案内板１０と、例えば、ユニバーサルジョイントにより、連結することができる。
【００２４】
２つの支持板４２は、抵抗板本体２１が延びる方向に交差する方向であって、互いに略１８０°異なる方向に向けて延出している。支持板４２には、連結部材本体４１の一端側に、地中に打ち込まれる安定板３０をガイドする湾曲部４２ａが形成されている。
【００２５】
図６は、前記実施形態に係る安定板３０を説明するための図である。図６（ａ）は、安定板３０の上面図である。図６（ｂ）は、安定板３０の正面図である。
【００２６】
安定板３０は、先端側が三角形状に形成された安定板本体３１と、安定板本体３１の基端側に設けられたストッパ３２と、ストッパ３２の近傍に設けられた溝おさえ板３３と、を備えている。
【００２７】
安定板本体３１には、略中央に安定板本体３１が延びる方向に沿って、案内板１０が挿通可能な溝部３１ａが形成されている。溝部３１ａには、安定板本体３１の基端側に貫通孔３１ｂが形成されている。
ストッパ３２は、安定板本体３１の溝部３１ａを跨ぐように設けられている。
溝おさえ板３３は、安定板本体３１の溝部３１ａを跨ぐように設けられ、溝部３１ａと略同じ幅のスリット部３３ａが形成されている。溝おさえ板３３は、安定板本体３１と比べて薄い板材で形成されている。
【００２８】
この安定板３０によれば、安定板本体３１を連結部材４０の支持板４２が延出する方向に向けて配置し、安定板本体３１の溝部３１ａとストッパ３２及び溝おさえ板３３の間に抵抗板２０を挿通し、地中に打ち込んでいく。すると、安定板３０は、安定板本体３１の先端が、支持板４２の湾曲部４２ａに当接し、その後、湾曲部４２ａにガイドされ、安定板３０の先端が、平面視で抵抗板本体２１が延びる方向に交差する方向を向き、支持板４２に支持される。安定板３０は、先端が当該方向を向くのにともない、溝おさえ板３３のスリット部３３ａが抵抗板２０により破断され、最終的にストッパ３２が抵抗板２０に係止する。
【００２９】
次に、上述の支線アンカ１を設置する手順を説明する。
案内板１０の基端側に連結された抵抗板２０の先端を地面に当てて、この抵抗板２０の凹んだ面が電柱側に向くように、抵抗板２０を垂直に立てる。この状態で、抵抗板２０の基端側にロットハンマーを当てて、抵抗板２０を地中に打ち込む。すると、抵抗板２０は湾曲しているので、抵抗板２０は地中に位置し、この抵抗板２０の凹んだ面は支線に略鉛直となる。
【００３０】
次に、１つめの安定板３０の溝部３１ａに案内板１０を挿通して、１つめの安定板３０の基端側にロットハンマーを当てて、１つめの安定板３０を地中に打ち込む。すると、１つめの安定板３０は、先端が連結部材４０の１つめの支持板４２に当接後、平面視で電柱方向に交差する方向を向いて地中に位置し、１つめの安定板３０は電柱方向に交差する方向に沿って延出することになる。
【００３１】
次に、２つめの安定板３０の溝部３１ａに案内板１０を挿通して、２つめの安定板３０の基端側にロットハンマーを当てて、２つめの安定板３０を地中に打ち込む。すると、２つめの安定板３０は、先端が連結部材４０の２つめの支持板４２に当接後、１つめの安定板３０と互いに略１８０°異なる方向であって、平面視で電柱方向に交差する方向を向いて地中に位置し、２つめの安定板３０は電柱方向に交差する方向に沿って延出することになる。
次に、案内板１０の先端に電柱３の支線２を連結する。
【００３２】
第１実施形態によれば、以下のような効果がある。
安定板３０の先端を、平面視で電柱３の方向に交差する方向を向くようにしたので、案内板１０の基端側を敷地境界４に寄せることが可能となり、支線２の露出位置を敷地境界４に接近できる。
【００３３】
〔第２実施形態〕
本実施形態は、連結部材４０Ａの構成が異なる。
図７は、本発明の第２実施形態に係る支線アンカ１Ａが取り付けられた状態を上方から見下げた図である。
支線アンカ１Ａは、電柱３と角地の敷地境界４Ａとの間に設置される。
抵抗板２０の先端及び案内板１０の先端は、電柱３側に向けて、配置されている。２つの安定板３０の先端は、角地の敷地境界４Ａが延びる方向に向けてそれぞれ位置している。
【００３４】
図８は、本発明の第２実施形態に係る連結部材４０Ａが適用された案内板１０及び抵抗板２０の概略を説明するための斜視図である。
本実施形態に係る案内板１０及び抵抗板２０は、連結部材４０Ａにより連結されている。
【００３５】
連結部材４０Ａは、連結部材本体４１Ａと、連結部材本体４１Ａが延びる方向に沿って延出し、安定板３０を支持する２つの支持板４２Ａと、を備えている。
【００３６】
連結部材本体４１Ａの一端は、案内板１０の基端側と回動自在に連結されている。連結部材本体４１Ａの他端は、例えば、抵抗板２０の方向部２２の基端側と固定されている。
【００３７】
２つの支持板４２Ａは、抵抗板本体２１が延びる方向に交差する方向であって、互いに略９０°異なる方向に向けて延出している。支持板４２Ａには、連結部材本体４１の一端側に、地中に打ち込まれる安定板３０をガイドする湾曲部４２ａが形成されている。
安定板３０は、安定板本体３１を連結部材４０Ａの支持板４２Ａが延出する方向に向けて配置される。
【００３８】
次に、上述の支線アンカ１Ａを設置する手順を説明する。
案内板１０の基端側に連結された抵抗板２０の先端を地面に当てて、この抵抗板２０の凹んだ面が電柱側に向くように、抵抗板２０を垂直に立てる。この状態で、抵抗板２０の基端側にロットハンマーを当てて、抵抗板２０を地中に打ち込む。すると、抵抗板２０は湾曲しているので、抵抗板２０は地中に位置し、この抵抗板２０の凹んだ面は支線に略鉛直となる。
【００３９】
次に、１つめの安定板３０の溝部３１ａに案内板１０を挿通して、１つめの安定板３０の基端側にロットハンマーを当てて、１つめの安定板３０を地中に打ち込む。すると、１つめの安定板３０は、先端が連結部材４０Ａの１つめの支持板４２Ａに当接後、平面視で電柱３方向に交差する方向を向いて地中に位置し、１つめの安定板３０は電柱３方向に交差する方向に沿って延出することになる。
【００４０】
次に、２つめの安定板３０の溝部３１ａに案内板１０を挿通して、２つめの安定板３０の基端側にロットハンマーを当てて、２つめの安定板３０を地中に打ち込む。すると、２つめの安定板３０は、先端が連結部材４０Ａの２つめの支持板４２Ａに当接後、１つめの安定板３０と互いに略９０°異なる方向であって、平面視で電柱３方向に交差する方向を向いて地中に位置し、２つめの安定板３０は電柱３方向に交差する方向に沿って延出することになる。
次に、案内板１０の先端に電柱３の支線２を連結する。
【００４１】
第２実施形態によれば、以下のような効果がある。
２つの安定板３０を、角地の敷地境界４Ａが延びる方向に向けてそれぞれ位置するようにしたので、案内板１０の基端側を角地の敷地境界４Ａに寄せることが可能となり、支線２の露出位置を角地の敷地境界４Ａに接近できる。
【００４２】
なお、本発明は前記実施形態に限定されるものではなく、本発明の目的を達成できる範囲での変形、改良等は本発明に含まれるものである。
【符号の説明】
【００４３】
１        支線アンカ
１０      案内板
２０      抵抗板
３０      安定板
【図１】
2010248732.tif 000003
【図２】
2010248732.tif 000004
【図３】
2010248732.tif 000005
【図４】
2010248732.tif 000006
【図５】
2010248732.tif 000007
【図６】
2010248732.tif 000008
【図７】
2010248732.tif 000009
【図８】
2010248732.tif 000010